(57)【要約】      （修正有）【課題】暖かい袋を直接患部に当てることにより、健康的に肩こり、頭痛、腰痛、関節の痛み等の症状を和らげ、疲労回復、安眠を促す医療用具の提供。【解決手段】玄米、米ぬか、どくだみ、ハーブ、塩を布製の袋に充填し電子レンジで加熱して保温することにより、患部を暖め血行を良くし、薬用効果の高い米ぬか、どくだみ、ハーブを暖めることでさらに美肌効果や香りの放散を促し、使用することによる精神の鎮静を図ることの出来る身体保温袋である。【選択図】図２
0003119659.tif 000002
【実用新案登録請求の範囲】
【請求項１】
米ぬか、どくだみ、玄米、塩、ハーブを布製の袋に入れ電子レンジで加熱し、保温することで血行を良くするための医療用具である。
【請求項２】
ハーブや植物の匂いを利用して精神の沈静を促進する
【請求項３】
電子レンジを使うことにより、繰り返し何度でも使用可能でき、約３０分暖かさが持続する。
【請求項４】
外側の袋は綿や、絹など天然素材を用い、肌触りが良く、又、藍
染の袋を使用することにより、殺菌効果がある。
【請求項５】
形状１  縦２２ｃｍ×横３４ｃｍ以下とし、綿及び天然素材の布を袋状に縫い合わせる。
【請求項６】
形状２  縦１６ｃｍ×横５０ｃｍ以下とし、綿及び天然素材の布を袋状に縫い合わせる。
【請求項７】
原料の配合比率  米ぬか４７％前後  玄米１５％前後  塩３６％前後ハーブ２％前後、トータル１００％とする。
【考案の詳細な説明】
【技術分野】
【０００１】本発明は、玄米、米ぬか、どくだみ、ハーブ、塩を布製の袋に充填し電子レンジで加熱して保温することにより、患部を暖め血行を良くし、薬用効果の高い米ぬか、どくだみ、ハーブを暖めることでさらに美肌効果や香りの放散を促し、使用することによる精神の鎮静を図ることの出来る身体保温袋である。又、保温性に優れている薬草や塩を布製の袋に入れ使用しているため、繰り返し使用でき、身体との密着度が高く、効率よく暖められる。湯たんぽやカイロの代わりに使用でき、寒いときだけでなく、クーラーの効き過ぎている場所での冷えの予防に効果のある袋である。形状を筒状にすることにより、首周りや肩を暖めることが出来る。また、枕型では頭、肩、足を暖めながら眠れ、安眠を誘引できる。
【背景技術】
【０００２】従来の健康枕などは、におい袋として使用するものであり、薬草の効果を得られなかった。カイロは温めるだけで、医療効果は期待できず、電気コンセントの必要があり使用できる場所は限られていた。携帯用カイロは使い捨てで不経済であった。
【考案の開示】
【考案が解決しようとする課題】
【０００３】従来、身体を暖めることで患部を治療したり、安眠を誘引することは知られていましたが、自然界の物だけを使用し経済的、効率的に優れているものがなかった。
【課題を解決するための手段】
【０００４】本考案では、保湿、肌荒れ、殺菌、血行促進、精神の鎮静に効果のある天然由来の成分を独自の比率で配合することにより、電子レンジで簡単に暖められ、繰り返し使用可能にした。
【考案の効果】
【０００５】米ぬか、どくだみ、玄米、塩等、全て天然由来の成分を使用した暖かい袋を直接患部に当てることにより、健康的に肩こり、頭痛、腰痛、関節の痛み等の症状を和らげ、疲労回復、安眠を促す効果がある。【０００６】外側の袋には綿１００％の藍染や絹の天然素材を使用し適度な芳香性を保ちながら殺菌効果があり、丈夫で長持ちする。
〔参考資料〕
米ぬか      暖めると活性酸素を消し、セラミド、乳酸菌が多く含まれ保温効果や美肌効果がある。（日本の食生活  全国食料振興会発行）
どくだみ      フラボノイド、イソケルシトリンにより消炎、背膿、血行を促す作用がある。（日本ハーブ辞典  東京堂出版  村上志緒著）
玄米      リンカリウムで保湿力が長持ちし、かぶれ、美肌に効果がある。（自然療法  あなたと健康社  東條百合子著）
塩      塩で体を温めると、血をきれいにしコレステロールを下げる。炎症を抑え、肩こり、疲労の回復に効果がある。活性酸素を中和し、老化防止、発汗を促す、肌を白くする、しみを無くし小じわの改善、殺菌作用がある。（新声明の創世記いのちと塩  （株）ココロ発行  佐藤秀夫  佐藤稔著）
【考案を実施するための最良の形態】
【０００７】図１のように綿１００％の藍染を使い、縦２２ｃｍ×横３４ｃｍなる身体保温袋を作成し、こめぬか、ハーブ、塩などの材料を入れる。その袋を電子レンジで暖め、肩などの患部に当てる。【０００８】図３のように綿１００％の藍染を使い、縦１６ｃｍ×横５０ｃｍとなる身体保温袋を作成し、こめぬか、ハーブ、塩などの材料を入れる。その袋を電子レンジで暖め、首に巻く。【０００９】充填するハーブには、種類による様々な効能があり、使用する人の悩みや好みにより選定することが出来る。【００１０】米ぬか４６％玄米１６％塩３６％ハーブ２％の比率で配合することが、保温力に優れ、且つ、自然冷却後に湿度を吸収しやすいため電子レンジの使用に最適である。電子レンジでの加熱時間は、季節、電子レンジの容量により異なるが、約１分４０秒から２分４０秒の間が最適である。
【考案の効果】
【００１１】本考案は米ぬか、玄米、塩などを組み合わせることにより、電子レンジで温めることを可能にし、さらに人体に与える効果を倍増させた。又、どくだみ等のハーブを加えることで、精神の鎮静をはかり、安眠できる。
【図面の簡単な説明】
【００１２】
【図１】本考案の形状１を表したものである。
【図２】本考案を患部に当てているところを表している。
【図３】本考案の形状２を表したものである。
【図４】本考案を首に巻いているところを表している。
【図１】
0003119659.tif 000003
【図２】
0003119659.tif 000004
【図３】
0003119659.tif 000005
【図４】
0003119659.tif 000006
【手続補正書】
【提出日】平成17年12月16日(2005.12.16)
【手続補正１】
【補正対象書類名】実用新案登録請求の範囲
【補正対象項目名】全文
【補正方法】変更
【補正の内容】
【実用新案登録請求の範囲】
【請求項１】
電子レンジで加熱し保温して使用可能な所定の素材を袋に収納してなる医療用具であって、前記素材を、米ぬか，玄米，及び塩を原料としてこれらの組み合わせで構成して成ることを特徴とした医療用具。
【請求項２】
前記請求項１に記載の医療用具において、前記素材に、更に、どくだみとハーブとを追加して、米ぬか，どくだみ，玄米，塩，およびハーブを原料としてこれらの組み合わせで前記素材を構成して成ることを特徴とした医療用具。
【請求項３】
前記請求項１又は２に記載の医療用具において、
前記布製の袋を綿又は絹などの天然素材で形成したことを特徴とする医療用具。
【請求項４】
前記請求項３に記載の医療用具において、
前記天然素材で形成される布製の袋を、藍染の袋としたことを特徴とする医療用具。
【請求項５】
前記請求項１，２，３又は４に記載の医療用具において、
前記布製の袋を、縦２２ｃｍ×横３４ｃｍ以下の大きさとしたことを特徴とする医療用具。
【請求項６】
前記請求項１，２，３又は４に記載の医療用具において、
前記布製の袋を、縦１６ｃｍ×横５０ｃｍ以下の大きさとしたことを特徴とする医療用具。
【請求項７】
前記請求項１，２，３又は４に記載の医療用具において、
前記素材の組み合わせに際し、原料の配合比率を、米ぬか４７％，玄米１５％，塩３６％，ハーブ２％とし、合計で１００％としたことを特徴とする医療用具。
【手続補正２】
【補正対象書類名】明細書
【補正対象項目名】全文
【補正方法】変更
【補正の内容】
【考案の詳細な説明】
【技術分野】
【０００１】
本考案は、医療用具に係り、特に身体の一部を必要に応じて保温するための身体保温袋としての医療用具に関する。
【背景技術】
【０００２】
従来の健康枕などは、におい袋として使用するものであり、薬草の効果を得られなかった。カイロは温めるだけで、医療効果は期待できず、電気コンセントの必要があり、使用できる場所は限られていた。また、比較的安価な形態用の保温器具として、従来より携帯用カイロ（特許文献１参照）が一般に知られている。
【０００３】
【特許文献１】実開昭６３−１３００２４号公報
【考案の開示】
【考案が解決しようとする課題】
【０００４】
しかしながら、上述した公知の携帯用カイロは実開昭特許文献１でも明らかのように多くは素材として酸化鉄と水分と活性炭等を必要とし、又使い捨てであることから素材が無駄であり不経済であった。
又、身体を温めることで患部を治療したり、安眠を誘引するものは、この上記特許文献１にみられるように人工的なものが多く、自然界の物だけを使用して経済的および効率的に優れているものはなかった。
【課題を解決するための手段】
【０００５】
本考案にかかる医療用具は、電子レンジで加熱して使用するもので、保温して使用可能な所定の素材を袋に収納してなるもので、前述した袋に収納する素材を、米ぬか，玄米，及び塩を原料としてこれらの組み合わせで構成して成ることを特徴とするものである（請求項１）。
これにより、保湿，肌荒れ，殺菌，血行促進，精神の鎮静の効果のある天然由来の成分を配合することにより、電子レンジで簡単に暖められ且つ長い時間保温されるので、繰り返し使用を可能であり経済的効率がよい。
【０００６】
ここで、前述した素材としては、更に、どくだみとハーブとを追加して、米ぬか，どくだみ，玄米，塩，およびハーブを原料としてこれらの組み合わせで構成したものであってもよい（請求項２）。
又、前述した素材を収納する布製の袋を、綿又は絹などの天然素材で形成したものであってもよい（請求項３）。このようにすると、比較的長い時間、保温が可能と成る。
【０００７】
この布製の袋については、藍染の袋としてもよい（請求項４）。この布製の袋は、縦２２ｃｍ×横３４ｃｍ以下の大きさとしたものであっても、或いは縦１６ｃｍ×横５０ｃｍ以下の大きさとしたものであってもよい（請求項５乃至求項６）。
更に、前述した素材については、原料の配合比率を、好ましくは、米ぬか４７％，玄米１５％，塩３６％，ハーブ２％（合計で１００％）とすると（請求項７）、身体にとって好適なものを得ることができる。
【０００８】
本考案は、上述したように構成したので、保湿，肌荒れ，殺菌，血行促進，および精神の鎮静の効果のある天然由来の成分を独自の比率で配合して袋に入れるという手法を採ったので、電子レンジで簡単に温められ、これにより繰り返し使用が可能となっている。
【考案の効果】
【０００９】
本考案は、上述したように構成され機能するので、こによると、米ぬか，どくだみ，玄米，塩等，全て天然由来の成分を使用したので、例えば電子レンジで容易に加熱し得るで、これによって得られる温かい袋を直接患部に当てることにより、健康的に、肩こり，頭痛，腰痛，関節の痛み，等の症状を和らげると共に、疲労回復や安眠を促す効能そ備えた身体保温袋としての医療用具を提供することができる。又、外側の袋としてて綿１００％の藍染や絹の天然素材を使用すると、適度な芳香性を保ちながら殺菌効果があり且つ丈夫で長持ちするという従来にない優れた身体保温袋としての医療用具を提供することができる。
【考案を実施するための最良の形態】
【００１０】
以下、本考案の最良の形態を図面に参照しながら説明する。
図１は、本考案にかかる医療用具は、電子レンジで加熱して使用するもので、保温して使用可能な所定の素材と、これを収納する袋とにより構成される。この場合、前述した袋に収納する素材を、米ぬか，玄米，及び塩を原料としてこれらの組み合わせで構成されている。
これにより、保湿，肌荒れ，殺菌，血行促進，精神の鎮静の効果のある天然由来の成分を配合することにより、電子レンジで簡単に暖められ且つ長い時間保温されるので、繰り返し使用を可能であり経済的効率がよい。
【００１１】
前述した素材については、更に、どくだみとハーブとを追加して、米ぬか，どくだみ，玄米，塩，およびハーブを原料とし、これらの組み合わせで構成してもよい。
ここで、米ぬかは、暖めると活性酸素を消し、セラミド，乳酸菌が多く含まれることから保温効果や美肌効果があるとされる（日本の食生活／全国食料振興会発行）。
どくだみは、フラボノイドおよびイソケルシトリンによる消炎，背膿，血行を促す作用があるとされる（日本ハーブ辞典／東京堂出版：村上志緒著）。
【００１２】
玄米は、リンカリウムで保湿力が長持ちし、かぶれや美肌に効果があるとされる（自然療法、あなたと健康社／東條百合子著）。
塩については、例えば塩を使って体を温めると、血をきれいにしコレストロールを下げる。又、炎症を抑え、肩こり、疲労の回復に効果がある。更に活性酸素を中和し、老化防止，発汗を促す、肌を白くする、しみを無くし小じわを改善し、殺菌作用がある、とされる（新声明の創世記いのちと塩／（株）ココロ発行：佐藤秀夫  佐藤稔著）。
そして、これらの素材を所定の効能を意図して組み合わせ且つ加温して使用するという構成を備えたものは、未開発の技術分野である。
【００１３】
又、前述した素材を収納する布製の袋については、綿又は絹などの天然素材で形成したものであってもよい。このようにすると、比較的長い時間、保温が可能となる。
この布製の袋については、藍染の袋としてもよい。更に、布製の袋は、縦２２ｃｍ×横３４ｃｍ以下の大きさとしたものであっても、或いは縦１６ｃｍ×横５０ｃｍ以下の大きさとしたものであってもよい。
更に、前述した素材については、原料の配合比率を、好ましくは、米ぬか４７％，玄米１５％，塩３６％，ハーブ２％（合計で１００％）とすると、身体にとって好適なものを得ることができる。
【００１４】
そして、上述した保湿，肌荒れ，殺菌，血行促進，及び精神の鎮静の効果のある天然由来の成分を、独自の比率で配合することにより、又、電子レンジで簡単に温められて且つ繰り返しの使用を可能にするため、袋に収納するようにした。
【００１５】
このようにしたので、本実施形態による医療用具（身体保温袋）は、玄米，米ぬか，塩、又はこれらと、どくだみ及びハーブを布製の袋に充填して電子レンジで加熱して保温することにより、患部を暖めて血行を良くし、薬用効果の高い米ぬか，どくだみ，ハーブを暖めることで、更に美肌効果や香りの放散を促し、使用することによる精神の鎮静を図ることが可能な身体保温袋として機能する。
【００１６】
又、保温性に優れている薬草や塩を布製の袋に入れ使用しているため、繰り返し使用でき、身体との密着度が高く、効率よく暖められる。湯たんぽやカイロの代わりに使用でき、寒いときだけでなく、クーラーの効き過ぎている場所での冷えの予防に効果のある袋である。形状を筒状にすることにより、首回りや肩を暖めることが出来る。更に、枕型では頭，肩，足を暖めながら眠れので、安眠を誘引できる。
【００１７】
このように、本実施形態によると、米ぬか，玄米，塩などを組み合わせることにより、電子レンジで温めることを可能にし、さらに人体に与える効果を倍増させた。又、どくだみ等のハーブを加えることで、精神の鎮静をはかり、安眠できるという従来にない優れた効能を備えた身体保温袋としての医療用具を提供することができる。
【図面の簡単な説明】
【００１８】
【図１】本考案にかかる医療用具の形状の例（布製の袋の外面）を示す説明図である。
【図２】図１の実施例の使用状態（人体の上半身の一部及び腰を保温している状態）を示す説明図である。
【図３】本考案にかかる医療用具の他の形状の例（布製の袋の外面）を示す説明図である。
【図４】図３の実施例の使用状態（人体の首に巻き付けて使用している状態）を示す説明図である。